(57)【要約】【課題】  ネットワークを介して受信した情報の内容をその受信時以降の時に確認する際に、面倒な作業を行う必要をなくす。【解決手段】  本情報報知方法は、情報送信装置からネットワークを介して送信される情報を移動体通信端末で受信し、この情報の内容をその受信時以降に移動体通信端末の報知手段により利用者に報知するものである。本方法では、上記情報に関連づけられた時刻データをネットワークを介して情報送信装置から移動体通信端末へ送信する。次ぎに、移動体通信端末で受信した情報を移動体通信端末内に保存するとともに、移動体通信端末で受信した時刻データに基づく報知予定時刻データも移動体通信端末内に保存する。そして、保存した報知予定時刻データの示す時刻が到来したときに、保存しておいた情報の内容を上記報知手段により報知する。【選択図】  図１
2005303958.tif 000002
【特許請求の範囲】
【請求項１】
情報送信装置からネットワークを介して送信される情報を移動体通信端末で受信し、該情報の内容をその受信時以降に該移動体通信端末の報知手段により利用者に報知する情報報知方法において、
上記情報に関連づけられた時刻データをネットワークを介して上記情報送信装置から上記移動体通信端末へ送信し、
該移動体通信端末で受信した情報を該移動体通信端末内に保存するとともに、該移動体通信端末で受信した該時刻データに基づく報知予定時刻データを、該移動体通信端末内に保存し、
保存した報知予定時刻データの示す時刻が到来したときに該情報の内容を上記報知手段により報知することを特徴とする情報報知方法。
【請求項２】
情報を送信する情報送信装置と、該情報送信装置からネットワークを介して送信される情報を受信して該情報の内容をその受信時以降に報知手段により利用者に報知する移動体通信端末とから構成される情報報知システムにおいて、
上記情報送信装置は、上記情報に関連づけられた時刻データ及び該情報をネットワークを介して上記移動体通信端末へ送信する送信手段を有し、
該移動体通信端末は、時計手段と、記憶手段と、該時刻データ及び該情報をネットワークを介して受信する受信手段と、該受信手段で受信した情報を該記憶手段に保存するとともに、該受信手段で受信した時刻データに基づく報知予定時刻データを該記憶手段に保存する保存手段と、該報知予定時刻データの示す時刻が該時計手段の示す時刻と一致したときに、該記憶手段に保存した情報の内容を上記報知手段を制御して利用者に報知させる報知制御手段とを有することを特徴とする情報報知システム。
【請求項３】
情報送信装置からネットワークを介して送信される情報を受信して該情報の内容をその受信時以降に報知手段により利用者に報知する移動体通信端末において、
時計手段と、
記憶手段と、
上記情報送信装置からネットワークを介して送信される上記情報及び該情報に関連づけられた時刻データを受信する受信手段と、
該受信手段で受信した情報を該記憶手段に保存するとともに、該受信手段で受信した時刻データに基づく報知予定時刻データを該記憶手段に保存する保存手段と、
該報知予定時刻データの示す時刻が該時計手段の示す時刻と一致したときに、該記憶手段に保存した情報の内容を上記報知手段を制御して利用者に報知させる報知制御手段とを有することを特徴とする移動体通信端末。
【請求項４】
請求項３の移動体通信端末において、
上記時刻データが示す時刻よりも前の時刻を示す報知予定時刻データを生成する報知予定時刻データ生成手段を有し、
上記保存手段は、該報知予定時刻データ生成手段により生成した報知予定時刻データを上記記憶手段に保存することを特徴とする移動体通信端末。
【請求項５】
請求項３の移動体通信端末において、
利用者の指示を入力する指示入力手段と、
上記時刻データに基づき、該指示入力手段により入力された指示に従って報知予定時刻データを生成する報知予定時刻データ生成手段とを有し、
上記保存手段は、該報知予定時刻データ生成手段により生成した報知予定時刻データを上記記憶手段に保存することを特徴とする移動体通信端末。
【請求項６】
請求項３、４又は５の移動体通信端末において、
上記保存手段は、上記情報に関連づけられた複数の時刻データに基づくそれぞれ個別の報知予定時刻データを保存するものであることを特徴とする移動体通信端末。
【発明の詳細な説明】
【技術分野】
【０００１】
本発明は、情報送信装置からネットワークを介して送信される情報を移動体通信端末で受信し、該情報の内容を該移動体通信端末の報知手段により利用者に報知する情報報知方法並びに情報報知システム及びこのシステムを構成する移動体通信端末に関するものである。
【背景技術】
【０００２】
このような情報報知システムとしては、例えば、インターネット上のＷｅｂサイトや携帯電話通信網上のサイト等において、利用者が移動体通信端末を用いて入力した乗車駅及び下車駅から、その経路を検索し、その経路検索結果を利用者に報知するものが知られている（特許文献１）。このシステムを利用する利用者は、例えば自分の携帯電話機（移動体通信端末）で携帯電話通信網上の経路検索用サイトにアクセスして経路検索を行った後、その経路検索結果に従って電車を乗り換えながら目的地へ向かう。この場合、一般に、利用者は、経路検索用サイトから得た経路検索結果（情報）を自分の携帯電話機内に保存しておき、実際に目的地へ向かうときにその経路検索結果を確認できるようにしておく。これにより、実際に目的地へ向かう際に、乗り次ぎ電車やその発車時刻を利用者が忘れてしまった場合などのように、以前に行った経路検索結果を確認したい事態が生じても、改めて経路検索用サイトにアクセスして経路検索を行う必要がなくなる。
【０００３】
【特許文献１】特開２００２−３１６６４５号公報
【発明の開示】
【発明が解決しようとする課題】
【０００４】
ところが、上記のように以前に行った経路検索結果を確認する場合、利用者は、自分の携帯電話機を取り出してこれを操作し、保存しておいた経路検索結果を読み出して画面に表示させるという面倒な作業を行う必要があるという問題があった。特に、乗り換え時において乗り次ぎ電車やその発車時刻を確認する場合など、保存しておいた経路検索結果を迅速に確認したい状況下においては、上記作業は利用者にとって非常に面倒である。また、乗り換え回数が多い場合には、経路検索結果を確認する回数が増え、面倒な作業を繰り返し何度も行う必要が生じる。
【０００５】
なお、上記問題は、乗車駅と下車駅とを入力して電車の経路検索を行う場合に限らず、飛行機や船舶なども含む交通機関の経路検索を行う場合でも同様に生じ得るものである。また、この問題は、このような交通機関の経路検索の場合に限らず、様々な移動体通信端末を用いてネットワークを介して受信した情報の内容を利用者がその受信時以降の時に確認しようとする場合には、同様に生じ得るものである。
【０００６】
本発明は、上記問題に鑑みなされたものであり、その目的とするところは、ネットワークを介して受信した情報の内容を、その受信時以降の時に面倒な作業を行うことなく確認することができる情報報知方法並びに情報報知システム及びこのシステムを構成する移動体通信端末を提供することである。
【課題を解決するための手段】
【０００７】
上記目的を達成するために、請求項１の発明は、情報送信装置からネットワークを介して送信される情報を移動体通信端末で受信し、該情報の内容をその受信時以降に該移動体通信端末の報知手段により利用者に報知する情報報知方法において、上記情報に関連づけられた時刻データをネットワークを介して上記情報送信装置から上記移動体通信端末へ送信し、該移動体通信端末で受信した情報を該移動体通信端末内に保存するとともに、該移動体通信端末で受信した該時刻データに基づく報知予定時刻データを、該移動体通信端末内に保存し、保存した報知予定時刻データの示す時刻が到来したときに該情報の内容を上記報知手段により報知することを特徴とするものである。
この情報報知方法においては、報知対象である情報だけでなく、この情報に関連づけられた時刻データも、情報送信装置から移動体通信端末へ送信される。そして、その情報を移動体通信端末で受信した後、受信した情報を移動体通信端末内に保存しておき、時刻データに基づく報知予定時刻データの示す時刻が到来すると、保存しておいた情報の内容が利用者に報知される。したがって、本情報報知方法によれば、利用者は、情報送信装置からネットワークを介して受信した情報の内容をその受信後に確認する場合、保存しておいたその情報を読み出してその内容を報知させるための面倒な作業を行う必要がなくなる。
【０００８】
また、請求項２の発明は、情報を送信する情報送信装置と、該情報送信装置からネットワークを介して送信される情報を受信して該情報の内容をその受信時以降に報知手段により利用者に報知する移動体通信端末とから構成される情報報知システムにおいて、上記情報送信装置は、上記情報に関連づけられた時刻データ及び該情報をネットワークを介して上記移動体通信端末へ送信する送信手段を有し、該移動体通信端末は、時計手段と、記憶手段と、該時刻データ及び該情報をネットワークを介して受信する受信手段と、該受信手段で受信した情報を該記憶手段に保存するとともに、該受信手段で受信した時刻データに基づく報知予定時刻データを該記憶手段に保存する保存手段と、該報知予定時刻データの示す時刻が該時計手段の示す時刻と一致したときに、該記憶手段に保存した情報の内容を上記報知手段を制御して利用者に報知させる報知制御手段とを有することを特徴とするものである。
この情報報知システムにおいては、報知対象である情報だけでなく、この情報に関連づけられた時刻データも、情報送信装置から移動体通信端末へ送信される。その情報は、移動体通信端末で受信された後、その移動体通信端末の記憶手段に保存される。そして、移動体通信端末で受信した時刻データに基づく報知予定時刻データの示す時刻が、情報移動体通信端末の時計手段の示す時刻と一致したとき、保存しておいた情報の内容が利用者に報知される。したがって、本情報報知システムによれば、利用者は、情報送信装置からネットワークを介して受信した情報の内容をその受信後に確認する場合、保存しておいたその情報を読み出してその内容を報知させるための面倒な作業を行う必要がなくなる。
【０００９】
また、請求項３の発明は、情報送信装置からネットワークを介して送信される情報を受信して該情報の内容をその受信時以降に報知手段により利用者に報知する移動体通信端末において、時計手段と、記憶手段と、上記情報送信装置からネットワークを介して送信される上記情報及び該情報に関連づけられた時刻データを受信する受信手段と、該受信手段で受信した情報を該記憶手段に保存するとともに、該受信手段で受信した時刻データに基づく報知予定時刻データを該記憶手段に保存する保存手段と、該報知予定時刻データの示す時刻が該時計手段の示す時刻と一致したときに、該記憶手段に保存した情報の内容を上記報知手段を制御して利用者に報知させる報知制御手段とを有することを特徴とするものである。
この移動体通信端末においては、報知対象である情報だけでなく、この情報に関連づけられた時刻データも、情報送信装置からネットワークを介して受信され、この情報はその受信後に保存される。そして、受信した時刻データに基づく報知予定時刻データの示す時刻が時計手段の示す時刻と一致したとき、保存しておいた情報の内容が報知手段により利用者に報知される。したがって、本移動体通信端末によれば、利用者は、ネットワークを介して受信した情報の内容をその受信後に確認する場合、保存しておいたその情報を読み出してその内容を報知させるための面倒な作業を行う必要がなくなる。
【００１０】
また、請求項４の発明は、請求項３の移動体通信端末において、上記時刻データが示す時刻よりも前の時刻を示す報知予定時刻データを生成する報知予定時刻データ生成手段を有し、上記保存手段は、該報知予定時刻データ生成手段により生成した報知予定時刻データを上記記憶手段に保存することを特徴とするものである。
この移動体通信端末において、報知予定時刻データは、受信した時刻データが示す時刻よりも前の時刻を示すものである。よって、情報の内容は、その情報の受信後であって、その情報に関連づけられた時刻データの示す時刻よりも前に、利用者に報知される。
【００１１】
また、請求項５の発明は、請求項３の移動体通信端末において、利用者の指示を入力する指示入力手段と、上記時刻データに基づき、該指示入力手段により入力された指示に従って報知予定時刻データを生成する報知予定時刻データ生成手段とを有し、上記保存手段は、該報知予定時刻データ生成手段により生成した報知予定時刻データを上記記憶手段に保存することを特徴とするものである。
この移動体通信端末において、報知予定時刻データは、利用者の指示に従って生成されたものである。よって、利用者の意図する時刻に情報の内容を報知することができる。
【００１２】
また、請求項６の発明は、請求項３、４又は５の移動体通信端末において、上記保存手段は、上記情報に関連づけられた複数の時刻データに基づくそれぞれ個別の報知予定時刻データを保存するものであることを特徴とするものである。
この移動体通信端末において、報知対象である情報について複数の報知予定時刻データが保存される。よって、１つの情報の内容を、利用者に対して複数回報知することができる。
【００１３】
なお、上記「移動体通信端末」としては、ネットワークを通じて情報を受信することができるものであれば、ＰＤＣ（Personal Digital Cellular）方式、ＧＳＭ（Global SYstem for Mobile Communication）方式、ＴＩＡ（Telecommunications IndustrY Association）方式等の携帯電話機、ＩＭＴ（International Mobile Telecommunications）−２０００で標準化された携帯電話機、ＰＨＳ（Personal HandYphone Service）、自動車電話機等の電話機などが挙げられる。また、上記電話機のほか、電話機能を有しないが、ネットワークを通じて情報を受信することができるＰＤＡ（Personal Digital Assistance）等も挙げられる。
【発明の効果】
【００１４】
以上、請求項１乃至６の発明によれば、ネットワークを介して受信した情報の内容を、その受信時以降の時に面倒な作業を行うことなく確認することができるという優れた効果がある。
特に、請求項４の発明によれば、利用者は、情報の内容を、その情報に関連づけられた時刻データの示す時刻よりも前に確認することができるという優れた効果が奏される。
また、請求項５の発明によれば、利用者は、自分の意図する時刻に情報の内容を確認することができるという優れた効果が奏される。
また、請求項６の発明によれば、利用者は、同じ情報の内容について複数回確認することができるという優れた効果が奏される。
【発明を実施するための最良の形態】
【００１５】
以下、本発明の実施形態を、図面を参照しながら説明する。
図２は、本実施形態に係る情報報知システムとしての移動体通信システムの全体構成を説明するための説明図である。
この移動体通信システムにおいて、利用者であるユーザーが使用する携帯電話機２０は、ネットワークとしての携帯電話通信網１０に接続可能である。この携帯電話通信網１０には、情報送信装置としてのコンテンツサーバ１１が接続されている。このコンテンツサーバ１１は、携帯電話機２０からのリクエストを受け付けると、そのリクエストに係るページ画面データを携帯電話機２０に対して送信する。これを受信した携帯電話機２０は、そのページ画面を閲覧することができる。
【００１６】
図３は、上記コンテンツサーバ１１のハードウェア構成を示す概略構成図である。
このコンテンツサーバ１１は、システムバス１００、ＣＰＵ１０１、内部記憶装置、外部記憶媒体としての外部記憶装置１０４、入力装置１０５及び出力装置１０６を備えている。上記内部記憶装置は、ＲＡＭ１０２やＲＯＭ１０３等で構成されている。上記外部記憶装置１０４は、ハードディスクドライブ（ＨＤＤ）や光ディスクドライブ等で構成されている。上記入力装置１０５は、マウスやキーボード等で構成されている。上記出力装置１０６は、ディスプレイやプリンタ等で構成されている。更に、このコンテンツサーバ１１は、携帯電話通信網１０を介して各ユーザーの携帯電話機２０と通信するための携帯電話通信網用通信装置１０７を備えている。
上記ＣＰＵ１０１やＲＡＭ１０２等の構成要素は、システムバス１００を介して、互いにデータやプログラムの命令等のやり取りを行う。このコンテンツサーバ１１を所定の手順に従って動作させるためのプログラムは、ＲＯＭ１０３や外部記憶装置１０４に記憶されており、必要に応じてＣＰＵ１０１やＲＡＭ１０２上の作業エリアに呼び出されて実行される。また、このコンテンツサーバ１１には、携帯電話機２０で閲覧されるページ画面のデータが外部記憶装置１０４に記憶されている。コンテンツサーバ１１は、携帯電話機２０からのリクエストに応じ、ＣＰＵ１０１、ＲＡＭ１０２、携帯電話通信網用通信装置１０７等が協働して、外部記憶装置１０４に記憶されているページ画面データを、携帯電話通信網１０を介して携帯電話機２０に送信する機能を有している。なお、このコンテンツサーバ１１は、専用の制御装置として構成してもいいし、汎用のコンピュータシステムを用いて構成してもよい。また、１台のコンピュータで構成してもいいし、複数の機能をそれぞれ受け持つ複数台のコンピュータをネットワークで結んで構成してもよい。
【００１７】
図４は、上記携帯電話機２０の外観を示す正面図である。また、図５は、その携帯電話機２０のハードウェア構成を示す概略構成図である。
この携帯電話機２０は、クラムシェル（折り畳み）タイプの携帯電話機である。この携帯電話機２０は、システムバス２００、ＣＰＵ２０１、ＲＡＭ２０２やＲＯＭ２０３等からなる内部制御装置、入力装置２０４、出力装置２０５及び携帯電話通信網用通信装置２０６を備えている。
ＣＰＵ２０１やＲＡＭ２０２等の構成要素は、システムバス２００を介して、互いに各種データや後述のプログラムの命令等のやり取りを行っている。上記入力装置２０４は、データ入力キー（テンキー、＊キー、＃キー）２１、通話開始キー２２、終話キー２３、スクロールキー２４、多機能キー２５、マイク２６などから構成されている。上記出力装置２０５は、液晶ディスプレイ（ＬＣＤ）２７、スピーカ２８等から構成されている。上記携帯電話通信網用通信装置２０６は、携帯電話通信網１０を介して他の携帯電話機や上記コンテンツサーバ１１と通信するためのものである。
【００１８】
図６は、上記携帯電話機２０の主要部を抽出して示したブロック図である。
この携帯電話機２０は、受信手段としての電話通信部２１１及びデータ通信部２１２、指示入力手段としての操作部２１３、主制御部２１５、報知手段としての出力部２１６、時計手段としての時計部２１７、記憶部２１８等を備えている。
【００１９】
上記電話通信部２１１は、他の携帯電話機や固定電話機と電話通信を行うために、携帯電話通信網１０の基地局と無線通信を行うものであり、上述のハードウェア構成上の携帯電話通信網用通信装置２０６等に対応する。
上記データ通信部２１２は、上記電話通信部２１１と同様に、上述のハードウェア構成上の携帯電話通信網用通信装置２０６等に対応する。このデータ通信部２１２は、携帯電話通信網１０を介して他の携帯電話機とメールのやり取りを行ったり、携帯電話通信網１０からゲートウェイサーバを介して、インターネット等の外部の通信ネットワークに接続し、インターネット上での電子メールのやり取りやＷｅｂページの閲覧等を行ったりするためのものである。また、このデータ通信部２１２は、携帯電話通信網１０を介して、コンテンツサーバ１１上のページ画面を受信するためにも用いられる。
上記操作部２１３は、ユーザーが操作可能な上述のテンキー２１、通話開始キー２２、終話キー２３等で構成されている。この操作部２１３を操作することにより、ユーザーは、携帯電話機２０に対してＵＲＬ等のデータを入力したり、電話着信の際に通話の開始及び終了を行ったりすることができる。
上記主制御部２１５は、上記電話通信部２１１、データ通信部２１２、操作部２１３、出力部２１６、時計部２１７及び記憶部２１８を制御するものであり、上述のシステムバス２００、ＣＰＵ２０１やＲＡＭ２０２等で構成されている。この主制御部２１５は、上記電話通信部２１１等を制御するための制御用プログラムやユーザインターフェースを実行する。また、主制御部２１５は、記憶部２１８に記憶されている閲覧プログラム（ブラウザ）を実行したりすることで、上記コンテンツサーバ１１のページ画面を閲覧し、操作部２１３を用いた所定の入力作業を行うことを可能にする。
上記出力部２１６は、上述のＬＣＤ２７、スピーカ２８等からなる出力装置２０５等で構成されている。この出力部２１６は、上記データ通信部２１２で受信したページ画面をＬＣＤ２７に表示する。また、この出力部２１６のＬＣＤ２７は、上記電話通信部２１１やデータ通信部２１２で情報を着信した旨をユーザーに報知するときに用いられる。具体的には、その情報を着信すると、主制御部２１５により、出力部２１６のＬＣＤ２７に着信報知画像を表示したり、スピーカ２８から着信音を出力させたりする。
上記時計部２１７は、ＲＴＣ（リアルタイムクロック）で構成され、上記主制御部２１５に対して現在時刻データを出力する。
上記記憶部２１８は、上述のＲＡＭ２０２の一部やＲＯＭ２０３などによって構成されている。
【００２０】
携帯電話機２０を所定の手順に従って動作させる電話機プラットフォームを構築するための制御用プログラムは、上記記憶部２１８のＲＡＭ２０２やＲＯＭ２０３に記憶されている。また、基本ＯＳ（オペレーティングシステム）のプログラムや、上記アプリケーション実行環境を構築するためのプログラム及びアプリケーションプログラムも、ＲＡＭ２０２やＲＯＭ２０３に記憶されている。そして、これらのプログラムは、必要に応じてＣＰＵ２０１やＲＡＭ２０２中の作業エリアに呼び出されて実行される。
【００２１】
次に、上記コンテンツサーバ１１から受信した情報の内容を、その受信後に携帯電話機２０の出力部２１６のＬＣＤ２７に表示させるための処理動作について説明する。
なお、本実施形態では、上記コンテンツサーバ１１によって提供される経路検索用サイトから受信した経路検索結果の内容を、その受信後に携帯電話機２０のＬＣＤ２７に表示させる場合について説明する。
【００２２】
図１は、上記コンテンツサーバ１１上の経路検索用サイトから経路検索結果を受信するためのシーケンスフロー図である。
まず、ユーザーは、操作部２１３に対して所定の操作を行い、ブラウザを起動して経路検索用サイトにアクセスする。すると、ブラウザを実行する主制御部２１５は、その経路検索用サイトを提供するコンテンツサーバ１１に対してリクエストを送信する。このリクエストは、携帯電話通信網１０を介してコンテンツサーバ１１に受信される。このリクエストを受信したコンテンツサーバ１１は、そのリクエストに係る経路検索用サイトの検索条件入力画面のデータを、リクエストの送信元である携帯電話機２０に向けて送信する。このレスポンスは、携帯電話通信網１０を介して携帯電話機２０に受信される。このレスポンスを受信した携帯電話機２０は、ブラウザを実行する主制御部２１５の制御の下、その検索条件入力画面データに基づいてＬＣＤ２７上に検索条件入力画面を表示する。
【００２３】
上記検索条件入力画面には、乗車駅及び下車駅を入力するための入力ボックス、送信ボタン、入力方法の説明などが表示されている。ユーザーは、この検索条件入力画面を閲覧し、操作部２１３を操作して、自分が検索したい経路の乗車駅の名前と下車駅の名前を、それぞれの入力ボックスに入力する。この入力を終えたら、ユーザーは、操作部２１３を操作して、検索条件入力画面中の送信ボタンを選択する。すると、各入力ボックスに入力された乗車駅の名前と下車駅の名前のデータ（入力データ）がリクエストとともにコンテンツサーバ１１へ送信される。このリクエストを受けたコンテンツサーバ１１は、経路検索プログラムを実行するＣＰＵ１０１が経路検索手段として機能し、そのリクエストに係る乗車駅から下車駅までの経路を検索する経路検索処理を実行する。そして、この処理結果を示す検索結果画面データを、リクエストの送信元である携帯電話機２０に向けて送信する。このレスポンスは、携帯電話通信網１０を介して携帯電話機２０に受信される。このレスポンスを受信した携帯電話機２０は、ブラウザを実行する主制御部２１５の制御の下、その検索結果画面データに基づいてＬＣＤ２７上に、例えば図７に示すような検索結果画面を表示する。ここでは、乗車駅を「御成門」とし、下車駅を「柏」とし、コンテンツサーバ１１の経路検索処理において複数の経路が検索されたものとしている。そのため、検索結果画面には複数の経路検索結果が表示されている。なお、図示の検索結果画面では、駅名のみが表示されているが、乗車時間や下車時間、乗車する電車名なども、検索結果画面中に一緒に表示される。
【００２４】
このようにして検索結果画面がＬＣＤ２７上に表示されたら、ユーザーは、検索された複数の経路の中から１つを選択すべく、携帯電話機２０の操作部２１３を操作して、上記検索結果画面中の入力ボックスに経路番号を入力する。すると、その入力ボックスに入力された経路番号がリクエストとともにコンテンツサーバ１１へ送信される。このリクエストを受けたコンテンツサーバ１１は、ユーザーが選択した経路についての図８に示すような経路データを、リクエストの送信元である携帯電話機２０に向けて送信する。この経路データは、ユーザーが選択した経路１中の各路線ごとの、発車駅名、発車時刻、行き先及び路線名のデータが含まれている。この経路データを含むレスポンスが携帯電話通信網１０を介して携帯電話機２０に受信されると、主制御部２１５は、記憶部２１８のＲＯＭ２０３に記憶されているアラーム設定画面データに基づいて、ＬＣＤ２７上に例えば図９に示すようなアラーム設定画面を表示する。そして、ユーザーは、このアラーム設定画面中の入力ボックスに、経路１中の各路線の発車時刻の何分前にアラームを設定するかを、操作部２１３を操作して入力する。ここでは「５分」前に設定したものとする。この入力を終えたら、主制御部２１５は、保存手段として機能し、受信した経路データを記憶部２１８のＲＡＭ２０２内におけるアラーム設定用領域に保存する。また、主制御部２１５は、報知予定時刻データ生成手段として機能し、その経路データに関連づけられた時刻データすなわちその経路データに含まれている各発車時刻のデータに基づき、その各発車時刻からユーザーが入力した「５分」をそれぞれ差し引いた時刻を、アラーム時刻としたアラーム時刻データ（報知予定時刻データ）をそれぞれ生成する。そして、主制御部２１５は、保存手段として機能し、生成した各アラーム時刻データを、それぞれＲＡＭ２０２内のアラーム設定用領域に保存する。このとき、各アラーム時刻データは、対応する路線についての経路データ（以下、「路線データ」という。）に、それぞれ関連づけられて保存される。
【００２５】
図１０は、設定したアラーム時刻（報知予定時刻）に、経路データに基づく報知を行うための処理の流れを示すフローチャートである。
上述のようにアラーム設定を行った後、ユーザーは、自分が選択した経路１に従って目的地へ向かう。まず、携帯電話機２０の主制御部２１５は、報知制御手段として機能し、ＲＡＭ２０２内のアラーム設定用領域に保存されたアラーム時刻データのいずれかが、時計部２１７で計時されている現在時刻データと一致するか否かを判断する（Ｓ１）。本実施形態においては、最初に、乗車駅「御成門」から第１乗換駅「大手町」までの路線についてのアラーム時刻データと現在時刻データとが一致することになる。これにより、主制御部２１５は、ＲＯＭ２０３に記憶されているアラームプログラムを実行し（Ｓ２）、現在時刻データと一致したアラーム時刻データに関連づけられた路線データをＲＡＭ２０２内のアラーム設定用領域から読み出す（Ｓ３）。そして、主制御部２１５は、出力部２１６を制御して内部スピーカからアラーム音を出力する（Ｓ４）。なお、マナーモード設定等がされている場合には、アラーム音に代えて又はアラーム音とともに、バイブレータ出力を行ってもよい。アラーム音に気づいたユーザーが携帯電話機２０を取り出してＬＣＤ２７を見られる状態にすると、主制御部２１５は、読み出した路線データに基づき、図１１（ａ）に示すようなアラーム通知画面を、出力部２１６を制御してＬＣＤ２７上に表示させる（Ｓ５）。これにより、ユーザーは、乗車駅「御成門」から乗車予定の電車の発車時刻の約５分前に、その発車時刻、乗車駅、行き先及び路線名を確認することができる。
【００２６】
図１１（ａ）に示すアラーム通知画面が表示された後、主制御部２１５は、次に、アラーム設定が残っているか否かを判断する（Ｓ６）。本実施形態では、ＲＡＭ２０２内のアラーム設定用領域に、現在時刻データが示す現在時刻以降の時刻を示すアラーム時刻データが存在するか否かによって判断する。この段階では、まだアラーム設定が残っているので、再び、アラーム時刻データのいずれかが現在時刻データと一致するか否かの判断に戻る（Ｓ１）。そして、次に、第１乗換駅「大手町」から第２乗換駅「北千住」までの路線についてのアラーム時刻データと現在時刻データとが一致することになる。これにより、上記と同様の処理が行われることによって（Ｓ２〜Ｓ５）、携帯電話機２０のＬＣＤ２７には図１１（ｂ）に示すようなアラーム通知画面が表示される。よって、ユーザーは、第１乗換駅「大手町」で乗り次ぎ予定の電車の発車時刻の約５分前に、その発車時刻、乗車駅、行き先及び路線名を確認することができる。その後、同様にして、第２乗換駅「北千住」から下車駅「柏」までの路線についてのアラーム時刻データと現在時刻データとが一致すると（Ｓ１）、上記と同様の処理が行われて（Ｓ２〜Ｓ５）、携帯電話機２０のＬＣＤ２７には図１１（ｃ）に示すようなアラーム通知画面が表示される。よって、ユーザーは、第２乗換駅「北千住」で乗り次ぎ予定の電車の発車時刻の約５分前に、その発車時刻、乗車駅、行き先及び路線名を確認することができる。
【００２７】
このようにして、最後のアラーム通知画面を表示し終えたら、主制御部２１５は、ＲＡＭ２０２内のアラーム設定用領域に、現在時刻データが示す現在時刻以降の時刻を示すアラーム時刻データが存在しないと判断する（Ｓ６）。これにより、主制御部２１５は、ＲＡＭ２０２内のアラーム設定用領域内のアラーム時刻データを含む経路データを消去する（Ｓ７）。
【００２８】
以上、本実施形態によれば、ユーザーは、報知対象である経路データに含まれる各発車時刻データが示す発車時刻の５分前に、各路線についての経路データの内容（発車時刻、乗車駅、行き先及び路線名）が携帯電話機２０のＬＣＤ２７に表示される。したがって、ユーザーは、コンテンツサーバ１１から携帯電話通信網１０を介して受信した経路データの内容を、従来のような面倒な作業を行うことなく、確認することができる。
特に、本実施形態においては、発車時刻データが示す発車時刻よりも前の時刻にアラーム時刻が設定されるので、事前に経路データの内容を確認することができる。
また、本実施形態においては、ユーザーの指示に従ってアラーム時刻を設定できるので、ユーザーごとに異なるアラーム時刻を設定でき、ユーザーの利便性が高い。
【００２９】
なお、本実施形態においては、１つの情報（経路データ）について１つのアラーム時刻を設定する場合について説明したが、１つの情報（経路データ）について２以上のアラーム時刻を設定してもよい。この場合、例えば、図９に示したアラーム設定画面に複数の入力ボックスを設け、発車時刻の何分前にアラームを設定するかを、ユーザーに複数の入力させる。このとき、例えば「１５分」と「５分」を入力したとすれば、各路線における各発車時刻の１５分前と５分前の両方で同じアラーム通知画面を表示させる。
また、本実施形態においては、図９に示したアラーム設定画面で入力した、発車時刻の何分前にアラームを設定するかのデータが、すべての路線について共通である場合について説明したが、路線ごとに個別にしてもよい。この場合、図９に示したアラーム設定画面において、発車時刻の何分前にアラームを設定するかのデータを、ユーザーに路線ごとに入力してもらえばよい。
また、本実施形態では、電車の経路検索結果を報知する場合について説明したが、飛行機や船舶なども含む交通機関の経路検索結果を報知する場合でも同様である。また、このような交通機関の経路検索結果を報知する場合に限らず、ネットワークを介して受信した様々な情報の内容をユーザーがその受信時以降の時に確認しようとする場合には、同様の効果を生じ得る。
また、本実施形態では、携帯電話機２０からのリクエストに応じて送信されてくる情報（経路データ）を報知する場合について説明したが、携帯電話機２０からのリクエストが無くて一方的に携帯電話機２０へ送信されてくるような情報を報知する場合についても、同様の効果を得ることができる。
また、本発明は、携帯電話機のほか、ＰＨＳ、自動車電話機等の電話機、携帯型のＰＤＡの場合についても適用でき、同様な効果が得られるものである。
【図面の簡単な説明】
【００３０】
【図１】実施形態の移動体通信システムを構成するコンテンツサーバ上の経路検索用サイトから経路検索結果を受信するためのシーケンスフロー図。
【図２】同移動体通信システムの全体構成を説明するための説明図。
【図３】同コンテンツサーバのハードウェア構成を示す概略構成図。
【図４】同移動体通信システムを構成する携帯電話機の外観を示す正面図。
【図５】同携帯電話機のハードウェア構成を示す概略構成図。
【図６】同携帯電話機の主要部を抽出して示したブロック図。
【図７】同携帯電話機のＬＣＤ上に表示される検索結果画面の説明図。
【図８】同コンテンツサーバから送信される経路データのデータ構造を説明するための説明図。
【図９】同携帯電話機のＬＣＤ上に表示されるアラーム設定画面の説明図。
【図１０】同携帯電話機内に保存された経路データに基づく報知を、設定したアラーム時刻に行うための処理の流れを示すフローチャート。
【図１１】（ａ）乃至（ｃ）は、同携帯電話機のＬＣＤ上に表示されるアラーム通知画面の説明図。
【符号の説明】
【００３１】
１０  携帯電話通信網
１１  コンテンツサーバ
２０  携帯電話機
２７  ＬＣＤ
２１２  データ通信部
２１３  操作部
２１５  主制御部
２１６  出力部
２１７  時計部
２１８  記憶部
【図１】
2005303958.tif 000003
【図２】
2005303958.tif 000004
【図３】
2005303958.tif 000005
【図４】
2005303958.tif 000006
【図５】
2005303958.tif 000007
【図６】
2005303958.tif 000008
【図７】
2005303958.tif 000009
【図８】
2005303958.tif 000010
【図９】
2005303958.tif 000011
【図１０】
2005303958.tif 000012
【図１１】
2005303958.tif 000013